(57)【特許請求の範囲】
【請求項１】
追記型光記録媒体を管理する方法であって、前記記録媒体は、非データ領域およびデータ領域を含み、該データ領域は、スペア領域と、記録単位で構成されるユーザデータ領域とを有し、
前記方法は、
（ａ）前記非データ領域およびスペア領域の少なくとも一つに置かれている仮欠陥管理領域（ＴＤＭＡ）にディスク使用管理情報を記録するステップであって、前記ディスク使用管理情報は、前記ユーザデータ領域の記録単位のそれぞれが、その場所に記録されているデータを含むか否かを指し示す、ステップと、
（ｂ）前記記録媒体がファイナライズされる時に、前記仮欠陥管理領域に記録されている最新の前記ディスク使用管理情報を、前記非データ領域に置かれている最終欠陥管理領域（ＤＭＡ）に記録するステップと
を備え、
前記記録媒体は、第１の記録層および第２の記録層を備え、該第１の記録層はＤＭＡ１ａ乃至４ａを含み、該第２の記録層は該第１の記録層のＤＭＡ１ａ乃至４ａにそれぞれ対応するＤＭＡ１ｂ乃至４ｂを含み、
前記ＤＭＡ１ａおよびＤＭＡ１ｂはＤＭＡ１を構成し、前記ＤＭＡ２ａおよびＤＭＡ２ｂはＤＭＡ２を構成し、前記ＤＭＡ３ａおよびＤＭＡ３ｂはＤＭＡ３を構成し、前記ＤＭＡ４ａおよびＤＭＡ４ｂはＤＭＡ４を構成する、ことを特徴とする方法。
【請求項２】
前記ＤＭＡ１乃至ＤＭＡ４のそれぞれは８つの部分に分けられ、
前記ステップ（ｂ）では、前記最新のディスク使用管理情報をＤＭＡ１乃至ＤＭＡ４のそれぞれにおける第１の部分に記録し、
前記方法は、
前記記録媒体がファイナライズされる時に、最終欠陥リストを、前記ＤＭＡ１乃至ＤＭＡ４のそれぞれにおける第２乃至第８の部分の一つに記録するステップをさらに含む、
ことを特徴とする請求項１に記載の方法。
【請求項３】
前記記録媒体にある全ての仮欠陥管理領域が満杯である時に、前記記録媒体がファイナライズされることを特徴とする請求項２に記載の方法。
【請求項４】
追記型光記録媒体を管理する方法であって、前記記録媒体は、非データ領域およびデータ領域を含み、該データ領域は、スペア領域と、記録単位で構成されるユーザデータ領域とを有し、
前記方法は、
（ａ）前記記録媒体がファイナライズされる前に、前記非データ領域およびスペア領域の少なくとも一つに置かれている仮欠陥管理領域（ＴＤＭＡ）に記録されているディスク使用管理情報を再生し、前記記録媒体がファイナライズされた後に、前記非データ領域に置かれている最終欠陥管理領域（ＤＭＡ）に記録されているディスク使用管理情報を再生するステップであって、該ディスク使用管理情報は、前記ユーザデータ領域のそれぞれの記録単位が、その場所に記録されているデータを含むか否かを指し示す、ステップと、
（ｂ）前記仮欠陥管理領域または前記最終欠陥管理領域から再生された前記ディスク使用管理情報に基づいて前記ユーザデータ領域の記録済み／未記録の記録単位を識別するステップと
を備え、
前記記録媒体は、第１の記録層および第２の記録層を備え、該第１の記録層はＤＭＡ１ａ乃至４ａを含み、該第２の記録層は該第１の記録層のＤＭＡ１ａ乃至４ａにそれぞれ対応するＤＭＡ１ｂ乃至４ｂを含み、
前記ＤＭＡ１ａおよびＤＭＡ１ｂはＤＭＡ１を構成し、前記ＤＭＡ２ａおよびＤＭＡ２ｂはＤＭＡ２を構成し、前記ＤＭＡ３ａおよびＤＭＡ３ｂはＤＭＡ３を構成し、前記ＤＭＡ４ａおよびＤＭＡ４ｂはＤＭＡ４を構成する、ことを特徴とする方法。
【請求項５】
前記ＤＭＡ１乃至ＤＭＡ４のそれぞれは８つの部分に分けられ、
前記ステップ（ａ）では、前記記録媒体がファイナライズされた後に、前記ディスク使用管理情報をＤＭＡ１乃至ＤＭＡ４のそれぞれにおける第１の部分から再生し、
前記方法は、
前記記録媒体がファイナライズされた後に、最終欠陥リストを、前記ＤＭＡ１乃至ＤＭＡ４の一つにおける第２乃至第８の部分の一つから再生するステップをさらに含む、
ことを特徴とする請求項４に記載の方法。
【請求項６】
前記記録媒体上の記録単位のそれぞれはクラスタであり、前記第１乃至第８の部分のそれぞれは８クラスタの大きさであることを特徴とする請求項２または５に記載の方法。
【請求項７】
追記型光記録媒体を管理する装置であって、前記記録媒体は、非データ領域およびデータ領域を含み、該データ領域は、スペア領域と、記録単位で構成されるユーザデータ領域とを有し、
前記装置は、
前記記録媒体からデータを読み出し、および前記記録媒体にデータを記録するように構成されたピックアップと、
前記ピックアップに動作可能なように連結され、前記ピックアップを制御して、前記非データ領域およびスペア領域の少なくとも一つに置かれている仮欠陥管理領域（ＴＤＭＡ）にディスク使用管理情報を記録し、および前記記録媒体がファイナライズされる時に、前記仮欠陥管理領域に記録されている最新の前記ディスク使用管理情報を、前記非データ領域に置かれている最終欠陥管理領域（ＤＭＡ）に記録するように構成されたマイクロコンピュータと
を備え、
前記ディスク使用管理情報は、前記ユーザデータ領域の記録単位のそれぞれが、その場所に記録されているデータを含むか否かを指し示し、
前記記録媒体は、第１の記録層および第２の記録層を備え、該第１の記録層はＤＭＡ１ａ乃至４ａを含み、該第２の記録層は該第１の記録層のＤＭＡ１ａ乃至４ａにそれぞれ対応するＤＭＡ１ｂ乃至４ｂを含み、
前記ＤＭＡ１ａおよびＤＭＡ１ｂはＤＭＡ１を構成し、前記ＤＭＡ２ａおよびＤＭＡ２ｂはＤＭＡ２を構成し、前記ＤＭＡ３ａおよびＤＭＡ３ｂはＤＭＡ３を構成し、前記ＤＭＡ４ａおよびＤＭＡ４ｂはＤＭＡ４を構成する、ことを特徴とする装置。
【請求項８】
前記ＤＭＡ１乃至ＤＭＡ４のそれぞれは８つの部分に分けられ、
前記マイクロコンピュータは、前記ピックアップを制御して、前記最新のディスク使用管理情報をＤＭＡ１乃至ＤＭＡ４のそれぞれにおける第１の部分に記録し、および前記記録媒体がファイナライズされる時に、最終欠陥リストを、前記ＤＭＡ１乃至ＤＭＡ４のそれぞれにおける第２乃至第８の部分の一つに記録するように構成される、
ことを特徴とする請求項７に記載の装置。
【請求項９】
前記マイクロコンピュータは、前記記録媒体にある全ての仮欠陥管理領域が満杯である時に、前記記録媒体をファイナライズするように構成されることを特徴とする請求項８に記載の装置。
【請求項１０】
追記型光記録媒体を管理する装置であって、前記記録媒体は、非データ領域およびデータ領域を含み、該データ領域は、スペア領域と、記録単位で構成されるユーザデータ領域とを有し、
前記装置は、
前記記録媒体からデータを読み出し、および前記記録媒体にデータを記録するように構成されたピックアップと、
前記ピックアップに動作可能なように連結され、前記ピックアップを制御して、前記記録媒体がファイナライズされる前に、前記非データ領域およびスペア領域の少なくとも一つに置かれている仮欠陥管理領域（ＴＤＭＡ）からディスク使用管理情報を再生し、前記記録媒体がファイナライズされた後に、前記非データ領域に置かれている最終欠陥管理領域（ＤＭＡ）に記録されているディスク使用管理情報を再生するように構成され、および前記仮欠陥管理領域または前記最終欠陥管理領域から再生された前記ディスク使用管理情報に基づいて前記ユーザデータ領域の記録済み／未記録の記録単位を識別するように構成されたマイクロコンピュータと
を備え、
前記ディスク使用管理情報は、前記ユーザデータ領域の記録単位のそれぞれが、その場所に記録されているデータを含むか否かを指し示し、
前記記録媒体は、第１の記録層および第２の記録層を備え、該第１の記録層はＤＭＡ１ａ乃至４ａを含み、該第２の記録層は該第１の記録層のＤＭＡ１ａ乃至４ａにそれぞれ対応するＤＭＡ１ｂ乃至４ｂを含み、
前記ＤＭＡ１ａおよびＤＭＡ１ｂはＤＭＡ１を構成し、前記ＤＭＡ２ａおよびＤＭＡ２ｂはＤＭＡ２を構成し、前記ＤＭＡ３ａおよびＤＭＡ３ｂはＤＭＡ３を構成し、前記ＤＭＡ４ａおよびＤＭＡ４ｂはＤＭＡ４を構成する、ことを特徴とする装置。
【請求項１１】
前記ＤＭＡ１乃至ＤＭＡ４のそれぞれは８つの部分に分けられ、
前記マイクロコンピュータは、前記ピックアップを制御して、前記記録媒体がファイナライズされた後に、前記ディスク使用管理情報をＤＭＡ１乃至ＤＭＡ４のそれぞれにおける第１の部分から再生するように構成され、
前記マイクロコンピュータは、前記ピックアップを制御して、前記記録媒体がファイナライズされた後に、最終欠陥リストを、前記ＤＭＡ１乃至ＤＭＡ４の一つにおける第２乃至第８の部分の一つから再生するように構成される、
ことを特徴とする請求項１０に記載の装置。
【請求項１２】
前記記録媒体上の記録単位のそれぞれはクラスタであり、前記第１乃至第８の部分のそれぞれは８クラスタの大きさであることを特徴とする請求項８または１１に記載の装置。
【請求項１３】
前記ピックアップを制御して、前記記録媒体からの距離を保持し、前記記録媒体のトラックをトラッキングするように構成されたサーボと、
記録のためにピックアップに入力データを処理して供給し、前記記録媒体から読み出されたデータを処理するように構成されたデータプロセッサと
をさらに備え、
前記サーボおよび前記データプロセッサに動作可能なように連結された前記マイクロコンピュータは、前記サーボおよび前記データプロセッサの動作を制御するように構成されることを特徴とする請求項１２に記載の装置。
【請求項１４】
非データ領域およびデータ領域を含み、該データ領域は、スペア領域と、記録単位で構成されるユーザデータ領域とを有する、追記型光記録媒体であって、
前記記録媒体は、
前記ユーザデータ領域の記録単位のそれぞれが、その場所に記録されているデータを含むか否かを指し示すディスク使用管理情報を格納するように、前記非データ領域および前記スペア領域の少なくとも一つに設けられる仮欠陥管理領域（ＴＤＭＡ）と、
前記記録媒体がファイナライズされる時に、前記仮欠陥管理領域に記録されている最新の前記ディスク使用管理情報のコピーを格納するように、前記非データ領域に設けられる最終欠陥管理領域（ＤＭＡ）と
を備え、
前記記録媒体は、第１の記録層および第２の記録層を備え、該第１の記録層はＤＭＡ１ａ乃至４ａを含み、該第２の記録層は該第１の記録層のＤＭＡ１ａ乃至４ａにそれぞれ対応するＤＭＡ１ｂ乃至４ｂを含み、
前記ＤＭＡ１ａおよびＤＭＡ１ｂはＤＭＡ１を構成し、前記ＤＭＡ２ａおよびＤＭＡ２ｂはＤＭＡ２を構成し、前記ＤＭＡ３ａおよびＤＭＡ３ｂはＤＭＡ３を構成し、前記ＤＭＡ４ａおよびＤＭＡ４ｂはＤＭＡ４を構成する、ことを特徴とする追記型光記録媒体。
【請求項１５】
前記ＤＭＡ１乃至ＤＭＡ４のそれぞれは８つの部分に分けられ、該第１の部分は最終の第２の情報および最終のＤＤＳ情報を格納するように適合され、該第２乃至第８の部分の一つは最終の第１の情報を格納するように適合される、
ことを特徴とする請求項１４に記載の追記型光記録媒体。
【請求項１６】
前記記録媒体に設けられる全ての仮欠陥管理領域が満杯である時に、前記記録媒体がファイナライズされることを特徴とする請求項１５に記載の追記型光記録媒体。
【請求項１７】
追記型光記録媒体を管理する動作を実行するプログラムを格納するコンピュータ読み取り可能な記録媒体であって、前記追記型光記録媒体は、非データ領域およびデータ領域を含み、該データ領域は、スペア領域と、記録単位で構成されるユーザデータ領域とを有し、
前記プログラムは、
（ａ）前記非データ領域およびスペア領域の少なくとも一つに置かれている仮欠陥管理領域（ＴＤＭＡ）にディスク使用管理情報を記録するステップであって、前記ディスク使用管理情報は、前記ユーザデータ領域の記録単位のそれぞれが、その場所に記録されているデータを含むか否かを指し示す、ステップと、
（ｂ）前記記録媒体がファイナライズされる時に、前記仮欠陥管理領域に記録されている最新の前記ディスク使用管理情報を、前記非データ領域に置かれている最終欠陥管理領域（ＤＭＡ）に記録するステップと
を実行するようにプログラミングされており、
前記記録媒体は、第１の記録層および第２の記録層を備え、該第１の記録層はＤＭＡ１ａ乃至４ａを含み、該第２の記録層は該第１の記録層のＤＭＡ１ａ乃至４ａにそれぞれ対応するＤＭＡ１ｂ乃至４ｂを含み、
前記ＤＭＡ１ａおよびＤＭＡ１ｂはＤＭＡ１を構成し、前記ＤＭＡ２ａおよびＤＭＡ２ｂはＤＭＡ２を構成し、前記ＤＭＡ３ａおよびＤＭＡ３ｂはＤＭＡ３を構成し、前記ＤＭＡ４ａおよびＤＭＡ４ｂはＤＭＡ４を構成する、ことを特徴とするコンピュータ読み取り可能な記録媒体。
【請求項１８】
前記ＤＭＡ１乃至ＤＭＡ４のそれぞれは８つの部分に分けられ、
前記プログラムは、前記最新のディスク使用管理情報をＤＭＡ１乃至ＤＭＡ４のそれぞれにおける第１の部分に記録し、および前記記録媒体がファイナライズされる時に、最終欠陥リストを、前記ＤＭＡ１乃至ＤＭＡ４のそれぞれにおける第２乃至第８の部分の一つに記録するようにプログラミングされる、
ことを特徴とする請求項１７に記載のコンピュータ読み取り可能な記録媒体。
【請求項１９】
前記プログラムは、前記記録媒体にある全ての仮欠陥管理領域が満杯である時に、前記記録媒体をファイナライズすることを特徴とする請求項１８に記載のコンピュータ読み取り可能な記録媒体。
【請求項２０】
前記記録媒体上の記録単位のそれぞれはクラスタであり、前記第１乃至第８の部分のそれぞれは８クラスタの大きさであることを特徴とする請求項１９に記載のコンピュータ読み取り可能な記録媒体。
【請求項２１】
追記型光記録媒体を管理する動作を実行するプログラムであって、前記追記型光記録媒体は、非データ領域およびデータ領域を含み、該データ領域は、スペア領域と、記録単位で構成されるユーザデータ領域とを有し、
前記プログラムは、
（ａ）前記非データ領域およびスペア領域の少なくとも一つに置かれている仮欠陥管理領域（ＴＤＭＡ）にディスク使用管理情報を記録するステップであって、前記ディスク使用管理情報は、前記ユーザデータ領域の記録単位のそれぞれが、その場所に記録されているデータを含むか否かを指し示す、ステップと、
（ｂ）前記記録媒体がファイナライズされる時に、前記仮欠陥管理領域に記録されている最新の前記ディスク使用管理情報を、前記非データ領域に置かれている最終欠陥管理領域（ＤＭＡ）に記録するステップと
を実行するようにプログラミングされており、
前記記録媒体は、第１の記録層および第２の記録層を備え、該第１の記録層はＤＭＡ１ａ乃至４ａを含み、該第２の記録層は該第１の記録層のＤＭＡ１ａ乃至４ａにそれぞれ対応するＤＭＡ１ｂ乃至４ｂを含み、
前記ＤＭＡ１ａおよびＤＭＡ１ｂはＤＭＡ１を構成し、前記ＤＭＡ２ａおよびＤＭＡ２ｂはＤＭＡ２を構成し、前記ＤＭＡ３ａおよびＤＭＡ３ｂはＤＭＡ３を構成し、前記ＤＭＡ４ａおよびＤＭＡ４ｂはＤＭＡ４を構成する、ことを特徴とするプログラム。
【請求項２２】
前記ＤＭＡ１乃至ＤＭＡ４のそれぞれは８つの部分に分けられ、
前記プログラムは、前記最新のディスク使用管理情報をＤＭＡ１乃至ＤＭＡ４のそれぞれにおける第１の部分に記録し、および前記記録媒体がファイナライズされる時に、最終欠陥リストを、前記ＤＭＡ１乃至ＤＭＡ４のそれぞれにおける第２乃至第８の部分の一つに記録するようにプログラミングされる、
ことを特徴とする請求項２１に記載のプログラム。
【請求項２３】
前記プログラムは、前記記録媒体にある全ての仮欠陥管理領域が満杯である時に、前記記録媒体をファイナライズすることを特徴とする請求項２２に記載のプログラム。
【請求項２４】
前記記録媒体上の記録単位のそれぞれはクラスタであり、前記第１乃至第８の部分のそれぞれは８クラスタの大きさであることを特徴とする請求項２３に記載のプログラム。
【発明の詳細な説明】
【技術分野】
【０００１】
本発明は、追記型光記録媒体と光記録媒体の管理法方及び装置に関し、特に、追記型光記録媒体において管理情報を効率よく記録し管理する方法及び装置に関する。
【背景技術】
【０００２】
光記録媒体として大容量のデータが記録可能な光ディスクが広く使用されている。そのうちでも、近年では、高画質のビデオデータと高音質のオーディオデータを長時間記録し格納することができる新規な高密度光記録媒体（ＨＤ−ＤＶＤ）、例えば、ブルーレイディスク（Ｂｌｕ−ｒａｙ Ｄｉｓｃ）が開発されている。
【０００３】
次世代ＨＤ−ＤＶＤ技術であるブルーレイディスク（Ｂｌｕ−ｒａｙ Ｄｉｓｃ）は、既存のＤＶＤを遥かに超える容量のデータを格納することができる次世代光記録ソリューションである。ブルーレイディスクは、６５０ｎｍ波長の赤色レーザーを使用する現在のＤＶＤに比べて遥かに密な４０５ｎｍ波長の青紫色レーザーを使用する。また、ブルーレイディスクは、厚さ１．２ｍｍ、直径１２ｃｍを有し、０．１ｍｍの光透過層を有するため、現在のＤＶＤに比べて遥かに大量のデータを格納することができる。
【０００４】
ブルーレイディスクに関わる各種の標準案が設けられつつあり、書き換え可能なブルーレイディスク（ＢＤ−ＲＥ）及び追記型ブルーレイディスク（ＢＤ−ＷＯ）に関わる標準案が開発されつつある。
【０００５】
図１は、書き換え可能なブルーレイディスク（ＢＤ−ＲＥ）の記録領域の構造を図式的に示している。同図に示すように、ＢＤ−ＲＥは、リードイン領域（Ｌｅａｄ−Ｉｎ Ａｒｅａ）と、データ領域（Ｄａｔａ  Ａｒｅａ）、及びリードアウト領域（Ｌｅａｄ−Ｏｕｔ  Ａｒｅａ）とに区画される記録層を含んでいる。また、データ領域内には、ユーザデータを記録するユーザデータ領域（ｕｓｅｒ ｄａｔａ ａｒｅａ）と、ディスクのインナー・トラック（ｉｎｎｅｒ  ｔｒａｃｋ）及びアウター・トラック（ｏｕｔｅｒ  ｔｒａｃｋ）にそれぞれ割り当てられたインナー・スペア領域（ＩＳＡ０）とアウター・スペア領域（ＯＳＡ０）が備えられている。スペア領域は、リニア・リプレースメント（ｌｉｎｅａｒ ｒｅｐｌａｃｅｍｅｎｔ）方式によりユーザデータ領域内の欠陥領域内のデータを代替記録する代替領域として活用される。
【０００６】
書き換え可能なブルーレイディスク（ＢＤ−ＲＥ）において、データを記録する途中にユーザデータ領域から欠陥領域が検出されると、欠陥領域に記録されたデータをスペア領域へと転送する動作を行う。また、欠陥領域を管理するための欠陥管理情報として、欠陥領域及び代替記録された領域などに関わる位置などの情報をリードイン及びリードアウト領域に備えられた欠陥管理領域（ＤＭＡ１〜ＤＭＡ４）に記録する。なお、ＢＤ−ＲＥ内のいずれの領域にも繰り返し記録したり、消去したりすることが可能であるため、特に記録方式に拘ることなくランダムにディスクの全域を使用することができるようになる。
【０００７】
これに対し、追記型ディスク（ＢＤ−ＷＯ）では、ディスクの特定領域への記録が１回だけ可能であることから、記録方式に多くの制約が伴い、特に、ディスクの全域に対するランダムな使用は、事実上、欠陥管理の難しさのため困難である。
【０００８】
また、ＢＤ−ＷＯでは、特にデータを記録する時における欠陥領域の管理も重要な事案の一つとされている。しかしながら、ＢＤ−ＷＯは、未だ開発の初期段階であって、ＢＤ−ＷＯの商業的活用可能性のために必要とされるＢＤ−ＷＯ上の欠陥領域を如何に管理し、また如何にＢＤ−ＷＯ上に管理情報を記録するかについての体系化した構成（ｓｃｈｅｍｅ）や、ディスク構造、装置及び方法が設けられていない実情である。従って、ＢＤ−ＷＯのための前述した要求事項を満たし得る統一した規格が必要であるが、現に提案されている書き換え可能な光ディスク（ＢＤ−ＲＥ）に関わる如何なる規格でもこれが解決できない実情である。
【発明の開示】
【発明が解決しようとする課題】
【０００９】
本発明は、前述した従来技術の制限及び不合理的な面に起因する多くの問題点を実質的に解決するためになされたものであって、その目的は、追記型ディスクの使用管理情報を効率よく記録し管理するための記録媒体の管理方法及び装置を提供することにある。
【００１０】
本発明の更なる目的及び特長は、後述する実施例と請求の範囲及び図面により具体化し、達成可能な構造になる。
【課題を解決するための手段】
【００１１】
前述の目的を達成するための本発明に係る少なくとも一つの記録層を備えた追記型光記録媒体を管理する方法は、前記記録媒体の少なくとも一つの記録層上にユーザ領域（ｕｓｅｒ  ａｒｅａ）と非ユーザ領域（ｎｏｎ  ｕｓｅｒ  ａｒｅａ）を設け、前記ユーザ領域と非ユーザ領域の少なくとも一つの領域に少なくとも一つの仮欠陥管理領域を設け、前記少なくとも一つの仮欠陥管理領域は、記録媒体内のユーザ領域の記録済み状態及び未記録状態を表すディスク使用管理情報を含む仮欠陥管理情報を格納するために割り当てられ、前記非ユーザ領域には、少なくとも一つの最終欠陥管理領域を設けることを含むことを特徴とする。
【００１２】
本発明に係る少なくとも一つの記録層を備え、前記記録層は、少なくとも一つの仮欠陥管理領域と少なくとも一つの最終欠陥管理領域を備えた追記型光記録媒体を管理する方法は、前記少なくとも一つの仮欠陥管理領域内に、記録媒体の記録使用状態を表すディスク使用管理情報を含む仮欠陥管理情報を記録するステップと、前記仮欠陥管理領域内に記録された仮欠陥管理情報を、記録媒体の少なくとも一つの最終欠陥管理領域へと転送するステップと、を含むことを特徴とする。
【００１３】
本発明に係る少なくとも一つの記録層を備えた追記型光記録媒体を管理する装置は、前記記録媒体の少なくとも一つの記録層上にユーザ領域（ｕｓｅｒ  ａｒｅａ）と非ユーザ領域（ｎｏｎ  ｕｓｅｒ  ａｒｅａ）を設ける手段と、前記ユーザ領域と非ユーザ領域の少なくとも一つの領域に記録媒体内のユーザ領域の記録済み状態及び未記録状態を表すディスク使用管理情報を含む仮欠陥管理情報を格納するために割り当てられる少なくとも一つの仮欠陥管理領域を設ける手段、及び前記非ユーザ領域に少なくとも一つの最終欠陥管理領域を設ける手段と、を含むことを特徴とする。
【００１４】
本発明に係る少なくとも一つの記録層を備え、前記記録層は、少なくとも一つの仮欠陥管理領域と少なくとも一つの最終欠陥管理領域を備えた追記型光記録媒体を管理する装置は、前記少なくとも一つの最終欠陥管理領域内に、記録媒体の記録使用状態を表すディスク使用管理情報を含む仮欠陥管理情報を記録する手段と、前記少なくとも一つの最終欠陥管理領域内に記録された仮欠陥管理情報を、記録媒体の少なくとも一つの最終欠陥管理領域へと転送する手段と、を含むことを特徴とする。
【００１５】
本発明に係る追記型光記録媒体は、ユーザ領域（ｕｓｅｒ  ａｒｅａ）と非ユーザ領域（ｎｏｎ  ｕｓｅｒ  ａｒｅａ）を含む少なくとも一つの記録層と、前記ユーザ領域と非ユーザ領域の少なくとも一つの領域に記録媒体内のユーザ領域の記録済み状態及び未記録状態を表すディスク使用管理情報を含む仮欠陥管理情報を格納するために割り当てられる少なくとも一つの仮欠陥管理領域、及び前記非ユーザ領域に設けられる少なくとも一つの最終欠陥管理領域と、を含むことを特徴とする。
【００１６】
本発明に係る他の追記型光記録媒体は、少なくとも一つの仮欠陥管理領域と少なくとも一つの最終欠陥管理領域を含む少なくとも一つの記録層を備え、前記少なくとも一つの仮欠陥管理領域内には、記録媒体の記録使用状態を表すディスク使用管理情報を含む仮欠陥管理情報を記録し、前記仮欠陥管理領域内に記録された仮欠陥管理情報を、記録媒体の少なくとも一つの最終欠陥管理領域へと転送することを含むことを特徴とする。
【００１７】
本発明に係る前述した課題を解決するための手段と後述する実施例は、本発明を説明するための一つの典型的で例示的な例として理解すべきである。
【発明の効果】
【００１８】
本発明によれば、ＢＤ−ＷＯが単層である場合にも、一つの記録層のための最新のＤ０とＴ０が繰り返しＤＭＡ内のＤＤＳセクションに記録される。類似して、最新のＴＤＦＬ情報もＤＭＡ内のＤＦＬセクションに繰り返し記録される。
【発明を実施するための最良の形態】
【００１９】
以下、図面を参照して本発明の実施例を詳細に説明すれば、次の通りである。なお、全図面において同一の図面符号は、同一の要素を示す。
【００２０】
図２は、本発明に係る光ディスクの記録再生装置２０について例を挙げて示したブロック図である。光ディスクの記録再生装置２０は、記録媒体２１にデータを記録したり記録媒体からデータを読み込むピックアップ２２と、ピックアップを制御しピックアップの対物レンズと記録媒体２１との間隔を一定に保持し、記録媒体２１上のトラックをトラッキングサーボし一定に保持するサーボ２３と、ピックアップで読み込んだ信号を処理したり、記録のためにピックアップに入力すべき信号を信号処理するデータプロセッサ２４と、外部ホスト３０とのデータ及び／又はコマンドをやり取りするインターフェイス２５と、記録媒体２１に関わる欠陥管理データ（例えば、仮管理情報など）を含む情報とデータを格納するメモリ又はストレージ２７と、記録再生装置２０の各構成要素の動作を制御するマイコン又は制御部２６と、を含む。記録媒体２１に記録したり記録媒体２１から読み込んだりするデータは、メモリ２７に格納すればよい。光記録再生装置２０内の全ての構成要素は、連動可能に相互接続されている。記録媒体２１は、ＢＤ−ＷＯのような追記型記録媒体である。
【実施例】
【００２１】
本発明に係る全ての方法とディスク構造は、図２に示す光記録再生装置２０又は別の適宜の装置及びシステムにより実現される。例えば、マイコン２６は、ディスク構造の割り当てを制御するのに活用可能であり、また、記録媒体上への管理情報の記録を制御するのに活用可能であり、更に、記録媒体上の仮領域（例えば、ＴＤＭＡ）から永久又は最終領域（例えば、ＤＭＡ）への管理情報の転送を制御するのに活用可能である。ＴＤＭＡ及びＤＭＡの詳細は後述する。
【００２２】
本発明の実施例に係るＢＤ−ＷＯのような追記型光ディスクのための管理情報の記録方法について、図面を参照して詳しく説明することにする。説明の便宜上、追記型ブルーレイディスク（ＢＤ−ＷＯ）を例に挙げて説明することにする。本明細書では、ＢＤ−ＷＯの二つのタイプ（単層ＢＤ−ＷＯ及び二層ＢＤ−ＷＯ）に対して述べることにする。単層ＢＤ−ＷＯは、一つの記録層を有し、二層ＢＤ−ＷＯは、二つの記録層を有している。
【００２３】
図３は、本発明に係る追記型光記録媒体であって、単層ＢＤ−ＷＯの構造を示す図である。同図に示すように、ＢＤ−ＷＯは、一つの記録層上に割り当てられたリードイン領域、データ領域、リードアウト領域を含む。リードイン領域及びリードアウト領域のそれぞれは、欠陥管理のためのＤＭＡ情報を格納する複数の欠陥管理領域（ＤＭＡ１とＤＭＡ２；ＤＭＡ３とＤＭＡ４）を含んでいる。それぞれのＤＭＡ１〜４は、固定された大きさ、例えば、３２クラスタを有し、一般に、欠陥管理の重要性からそれぞれのＤＭＡには同一の情報が記録される。従って、仮にＤＭＡのいずれかに欠陥があるとしても別のＤＭＡにアクセス可能であり、これにより欠陥管理情報が得られるようになる。
【００２４】
一般に、ＢＤ−ＲＥでは、ＤＭＡに記録されるデータを繰り返し記録したり又は消去したりすることができるため、所定のクラスタ数を超えるＤＭＡが要求されることがない。しかし、本発明のようなＢＤ−ＷＯでは、ＤＭＡに記録されるデータを繰り返し記録したり、又は消去したりすることができないため、欠陥管理のためには多くのクラスタ数を有するＤＭＡが要求される。
【００２５】
図３に示すように、リードイン領域は、欠陥管理情報を仮格納するための仮欠陥管理領域（ＴＤＭＡ１）を更に備えている。データ領域は、インナー・スペア領域（ＩＳＡ０）、ユーザデータ領域、及びアウター・スペア領域（ＯＳＡ０）を含んでいる。ＩＳＡ０とＯＳＡ０の全体又は一部は、ユーザデータ領域内の欠陥領域をリニア・リプレースメント方式により代替するための代替領域として使用される。例えば、ユーザデータ領域にデータを記録する途中にユーザデータ領域内から欠陥領域が検出されると、欠陥領域に記録された又は記録すべきデータをリニア・リプレースメント方式によりスペア領域（即ち、ＩＳＡ０又はＯＳＡ０）に代替記録する。アウター・スペア領域（ＯＳＡ０）は、仮欠陥管理領域（ＴＤＭＡ２）を含んでいる。以下、ＴＤＭＡ１及び／又はＴＤＭＡ２に仮格納される欠陥管理情報をＴＤＭＡ情報という。
【００２６】
一実施例として、ＴＤＭＡ１は、リードイン領域内に固定された大きさにて割り当てられるのに対し、ＴＤＭＡ２は、アウター・スペア領域（ＯＳＡ０）内にスペア領域の大きさに連動する可変的大きさにて割り当てられる。例えば、仮にＯＳＡ０の大きさがＮ×２５６クラスタ（Ｎ＞０、Ｎ＝整数）とすれば、ＴＤＭＡ２の大きさは、Ｐ＝（Ｎ×２５６）／４クラスタになる。
【００２７】
一つの例として、同一の情報をＴＤＭＡ１とＴＤＭＡ２にそれぞれ記録することが可能であるが、他の例として、ＴＤＭＡ１とＴＤＭＡ２にＴＤＭＡ情報を連続して記録することも可能である。欠陥領域のデータをスペア領域に代替記録する間、ＴＤＭＡ情報が生成され（例えば、マイコンの制御下で）、ＴＤＭＡ１及び／又はＴＤＭＡ２に記録される。また、ＴＤＭＡは、周期的に又は必要に応じてアップデートされる。ＢＤ−ＷＯが終了する場合に（これは、ユーザデータ領域へのデータの記録動作が終了するか、ＴＤＭＡがフル（ｆｕｌｌ）になるか、又はユーザなどからの終了コマンドにより行われる）、ＴＤＭＡ情報内に仮記録されていたＴＤＭＡ情報（最新バージョン）をＤＭＡ１〜ＤＭＡ４のいずれか一つ、又は全部へと転送する。
【００２８】
ＴＤＭＡ１とＴＤＭＡ２に記録されたＴＤＭＡ情報は、仮欠陥リスト（ＴＤＦＬ）情報と、仮ディスク定義構造（ＴＤＤＳ）情報を含んでいる。実施例として、ＴＤＦＬ情報は、少なくとも一つのＴＤＦＬ（ＴＤＦＬ＃１〜ＴＤＦＬ＃ｎ）を含み、それぞれのＴＤＦＬは、少なくとも一つの欠陥領域とこれに対応する代替領域を指定する欠陥エントリを含んでおり、それぞれの欠陥エントリは、ユーザデータ領域内の欠陥領域に関わる位置情報とこれに対応する代替領域に関わる位置情報を含んでいる。例えば、データをＢＤ−ＷＯ上に記録する途中に、仮にユーザデータ領域内から欠陥領域が検出されると、欠陥領域に記録された又は記録すべきデータをリニア・リプレースメント方式（ｌｉｎｅａｒ  ｒｅｐｌａｃｅｍｅｎｔ  ｓｃｈｅｍｅ）によりスペア領域（例えば、ＩＳＡ０又はＯＳＡ０）の一部分（代替領域）に記録する。次いで、欠陥領域と代替領域に関わる情報及びこれらの関連性についての情報がＴＤＦＬ内の欠陥エントリとして示される。即ち、欠陥エントリ情報内には、欠陥領域の第１番目の物理的セクタ番号と、欠陥領域に対応する代替領域の第１番目の物理的セクタ番号、及びその他、欠陥管理のための欠陥に関わる情報が記録される。
【００２９】
実施例として、ＴＤＭＡ１〜ＴＤＭＡ２に記録されるＴＤＤＳ情報は、少なくとも一つのＴＤＤＳ（ＴＤＤＳ＃１〜ＴＤＤＳ＃ｎ）を含む。それぞれのＴＤＤＳは、固定された大きさ（例えば、１クラスタ）を有し、ＴＤＦＬの位置情報を含んでおり、ＴＤＤＳへのアクセスによりＴＤＦＬの位置を早く見つけ出すことが可能である。ＴＤＦＬ情報は、１クラスタ内のセクタ０（Ｓｅｃｔｏｒ０）の一部分に記録され、ＴＤＦＬの位置を示す一つ以上の物理的セクタ番号を含んでおり、また、ＴＤＦＬ情報と関連するまた他の情報を含んでいる。関連して、１クラスタは、３２セクタから構成され、１セクタは、２０４８バイトを有する。
【００３０】
それぞれのＴＤＤＳは、記録モード情報（ＲＭ；ｒｅｃｏｒｄｉｎｇ  ｍｏｄｅ  ｉｎｆｏｒｍａｔｉｏｎ）を含んでいる。記録モード情報は、ＢＤ−ＷＯの記録モードを識別する情報であって１クラスタ内のセクタ０の一部分に記録される。また、前述したＴＤＦＬに関連する位置情報と記録モード情報ともにＴＤＤＳパート（ＴＤＤＳ  ｐａｒｔ）と称す。関連して、ＴＤＤＳパートは、全体としてセクタ０を占める（又は、他の指定された領域でもよい）。
【００３１】
それぞれのＴＤＤＳは、ディスク使用管理情報（ｄｉｓｃ  ｕｓａｇｅ  ｍａｎａｇｅｍｅｎｔ  ｉｎｆｏｒｍａｔｉｏｎ）を含むところ、ディスク使用管理情報は、ＢＤ−ＷＯ内の記録領域の状態を識別する情報であって、これは、少なくともトラック・インフォ（Ｔｒａｃｋ−Ｉｎｆｏ）又はスペース・ビットマップ情報（ＳＢＭ）とに区分される二つの形態のいずれかにて表すことができる。この構造については、図４を参照して後述することにする。
【００３２】
データの記録動作によりデータ領域内にデータを記録するに伴い、新たに検出される欠陥領域とこれに対応する代替領域に関わる情報を反映するためにＴＤＭＡを周期的にアップデートする必要がある。毎回のＴＤＭＡのアップデート後には、以前のＴＤＭＡ情報と新規に生成されたＴＤＭＡ情報を含むＴＤＦＬと対応するＴＤＤＳがＴＤＭＡ内に記録される。そこでＴＤＭＡに記録された最新のＴＤＦＬとＴＤＤＳが最新のＴＤＭＡ情報を含むようになる。以降、ＢＤ−ＷＯが終了すると、最新のＴＤＤＳとＴＤＦＬが、ＤＭＡ１〜ＤＭＡ４のいずれか又はいずれにも最終（又は最新）の欠陥管理情報として転送される。
【００３３】
図４は、書き換え可能なディスクのＤＤＳ構造と、例えば、ＢＤ−ＷＯにおけるＴＤＤＳ構造を示し、本発明の実施例に係るＢＤ−ＷＯにおけるディスク管理情報の記録方法を示す図である。同図に示すように、一般の書き換え可能なディスクのＤＤＳは、単に６０バイト情報だけを含み、これは、１クラスタ全体の僅かな部分だけを用いてＤＤＳ情報を格納するということである。結局、ＤＤＳの余の部分は、全てゼロで埋められる。
【００３４】
これに対し、ＢＤ−ＷＯでは、ＴＤＤＳ領域の全体をＴＤＤＳ情報を記録するのに活用する。図３及び図４から分かるように、ＴＤＤＳパート（これは、位置情報と記録モード情報を含む）は、ＴＤＤＳ情報として１クラスタ内のセクタ０に記録され、クラスタの余のセクタ１〜セクタ３１には、ディスク使用管理情報（Ｔｒａｃｋ−Ｉｎｆｏ又はＳＢＭ）が格納される。また他の例として、ディスク使用管理情報をＴＤＤＳ内の先頭から３１個のセクタ（即ち、セクタ０〜セクタ３０）に記録し、記録モード情報を含むＴＤＤＳパート情報を最後の３２番目のセクタに記録してもよい。
【００３５】
記録モード情報は、本発明に係るＢＤ−ＷＯにおける複数の記録モードのタイプを表す。例えば、“００００  ００００”値は、シーケンシャル記録モード（ｓｅｑｕｅｎｔｉａｌ  ｒｅｃｏｒｄｉｎｇ  ｍｏｄｅ）を意味し、“００００  ０００１”値は、ランダム記録モード（ｒａｎｄｏｍ  ｒｅｃｏｒｄｉｎｇ  ｍｏｄｅ）を意味するものとして使用することができる。なお、他の方式にて表してもよいことは自明である。本発明に係るＢＤ−ＷＯに関わる情報は、規格制定の過程を通じて、必要に応じて多様に決めればよい。
【００３６】
ディスク使用管理情報は、ディスクの使用状態に連動して可変する。ＢＤ−ＷＯにおけるディスク使用管理情報は、使用可能な（即ち、記録可能な）記録領域の開始位置を的確に見つけ出すために要求され、つまり、ＢＤ−ＷＯ上における記録済み領域と未記録領域とを区別するための情報として活用される。この点からディスク使用管理情報は、ユーザデータ領域内の記録済み領域と未記録領域の位置を表す情報といえる。
【００３７】
前述の如く、ディスク使用管理情報は、トラック・インフォ又はスペース・ビットマップ情報（ＳＢＭ）のいずれかである。トラック・インフォは、ＢＤ−ＷＯのシーケンシャル記録モードで一般に使用され、スペース・ビットマップ情報（ＳＢＭ）は、ランダム記録モードで一般に使用される。これらの記録モードは、ＴＤＤＳ内の記録モード情報により指定された記録モードによって決められる。
【００３８】
従来の追記型光ディスクでは、記録状態／モード情報を、ＣＤ系列では‘トラック情報（ｔｒａｃｋ ｉｎｆｏｒｍａｔｉｏｎ）’と称し、ＤＶＤ系列では‘Ｒｚｏｎｅ’、‘フラグメント（ｆｒａｇｍｅｎｔ）’、又は‘レコーディング・レンジ（ｒｅｃｏｒｄｉｎｇ ｒａｎｇｅ）’と称していたが、本発明では、記録状態情報として前述した様々な名称を統合し、これを‘トラック・インフォ（ｔｒａｃｋ−ｉｎｆｏ）’と称す。従って、‘トラック・インフォ’は、その名称に関係なく前述した意味として解釈されるべきである。
【００３９】
例として、ＢＤ−ＷＯ上のトラックは、シーケンシャル記録モードである時は、連続して使用されるため、トラック・インフォでＢＤ−ＷＯの記録領域の開始地点（位置）が識別できるようにし、また、記録領域の最後に記録された位置が識別できるようにする。即ち、トラック・インフォは、ＢＤ−ＷＯの記録領域内における次回に使用可能な（即ち、記録可能な）部分の開始地点を示す情報である。
【００４０】
ＳＢＭは、‘０’及び‘１’値を用いてＢＤ−ＷＯにおける記録可能な領域の開始地点（位置）が識別できるようにしたものである。即ち、例えば、記録領域上の特定のクラスタ領域が既に記録済みの領域であれば、クラスタ領域単位毎に‘１’値を割り当てることでこれを表示する。また、仮に記録領域上の特定のクラスタ領域が未記録の領域であれば、クラスタ領域単位に‘０’値を割り当てることでこれを表示する。このような方式により、仮にＳＢＭ上において特定のクラスタに対し‘１’値が割り当てられたとすれば、当該クラスタは記録済みの領域であることを意味し、ＳＢＭ上において特定のクラスタに対し‘０’値が割り当てられたとすれば、当該クラスタは、未記録の領域であることを意味する。関連して、前述の値の意味を逆にして使用したり、又は他の値にて記録済み領域／未記録領域が識別できるようにしてもよいことは自明である。結局として、ＳＢＭによれば、ランダム記録モードのディスクでも記録使用状態を表すことができる。
【００４１】
図１２は、本発明のまた他の実施例であって、単層ＢＤ−ＷＯのような追記型光ディスクの構造を示す図である。同図に示すＢＤ−ＷＯの構造は、図３に示すＢＤ−ＷＯの構造と同一であるが、図１２では、前述したＴＤＤＳ情報内のＴＤＤＳパート（位置情報と記録モード情報を含む）がアップデート毎に記録されるという点で相違している。本例では、ディスク使用管理情報（Ｔｒａｃｋ−Ｉｎｆｏ又はＳＢＭ）がＴＤＭＡ１のクラスタ内の先頭セクタ０〜３０に記録され、ＴＤＤＳパートは、当該クラスタのセクタ３１に記録される。他の例として、ＴＤＤＳパートを先頭セクタ０に記録し、ディスク使用管理情報（Ｔｒａｃｋ−Ｉｎｆｏ又はＳＢＭ）をセクタ１〜３１に記録してもよい。
【００４２】
図５は、本発明の実施例に係る二層ＢＤ−ＷＯの構造を示す図である。同図に示すように、二層ＢＤ−ＷＯの構造と各領域の指定は、説明の便宜のための一例として理解すべきであり、本発明は、これに制限されるものではない。
【００４３】
図５に示すように、ＢＤ−ＷＯは二つの記録層を含んでいる。関連して、第１の記録層（Ｌａｙｅｒ０又はＬ０）は、リードイン領域とデータ領域４０ａ、及びアウター・ゾーン領域（Ｏｕｔｅｒ  Ｚｏｎｅ０）を含んでいる。第２の記録層（Ｌａｙｅｒ１又はＬ１）は、リードアウト領域と、データ領域４０ｂ、及びアウター・ゾーン領域（Ｏｕｔｅｒ  Ｚｏｎｅ１）を含んでいる。第１の記録層（Ｌａｙｅｒ０）のリードイン領域は、仮欠陥管理領域（ＴＤＭＡ１）と複数の最終欠陥管理領域としてのＤＭＡ１ａとＤＭＡ２ａを含んでいる。第２の記録層（Ｌａｙｅｒ１）のリードアウト領域は、仮欠陥管理領域（ＴＤＭＡ４）と複数の最終欠陥管理領域としてのＤＭＡ１ｂとＤＭＡ２ｂを含んでいる。更なる最終欠陥管理領域としての複数のＤＭＡ（ＤＭＡ３ａ、３ｂ、４ａ、４ｂ）は、アウター・ゾーン領域（Ｏｕｔｅｒ  Ｚｏｎｅ０及び１）に備えられる。
【００４４】
第１の記録層（Ｌａｙｅｒ０）のデータ領域４０ａは、インナー・スペア領域ＩＳＡ０と、ユーザデータ領域４２ａ、及びアウター・スペア領域ＯＳＡ０を含んでいる。第２の記録層（Ｌａｙｅｒ１）のデータ領域４０ｂは、インナー・スペア領域ＩＳＡ１と、ユーザデータ領域４２ｂ、及びアウター・スペア領域ＯＳＡ１を含んでいる。アウター・スペア領域ＯＳＡ０及びＯＳＡ１には、それぞれＴＤＭＡ２とＴＤＭＡ３が備えられている。  図５における各領域内に記された矢印は、データの記録方向を例示的に示している。
【００４５】
単層ＢＤ−ＷＯと類似して、ＴＤＭＡ１とＴＤＭＡ４は、固定された大きさを有するのに対し、スペア領域内に割り当てられたＴＤＭＡ２とＴＤＭＡ３は、スペア領域の大きさに連動する可変的な大きさを有する。例えば、ＯＳＡ０とＯＳＡ１が、Ｎ×２５６クラスタ（Ｎ＞０、Ｎ＝整数）を有すれば、ＴＤＭＡ２とＴＤＭＡ３の大きさは、Ｐ＝（Ｎ×２５６）／４の大きさ（Ｐ）を有する。
【００４６】
前述した単層ＢＤ−ＷＯにおけるＤＭＡとＴＤＭＡの構造及び使用方法は、二層ＢＤ−ＷＯのＤＭＡとＴＤＭＡにも同一に適用可能である。なお、一つの相違点は、それぞれの記録層に備えられたＤＭＡ１ａ〜４ｂは、それぞれ３２クラスタを有し、第１の記録層のＤＭＡと対応する第２の記録層のＤＭＡともに完全なフルＤＭＡを構成するという点である。例えば、ＤＭＡ１ａとＤＭＡ１ｂが一つのＤＭＡを構成し、ＤＭＡ２ａとＤＭＡ２ｂが一つのＤＭＡを構成し、ＤＭＡ３ａとＤＭＡ３ｂが一つのＤＭＡを構成し、ＤＭＡ４ａとＤＭＡ４ｂが一つのＤＭＡを構成する。関連して、同一の情報が第１の記録層のＤＭＡ１ａ、２ａ、３ａ、４ａのそれぞれに記録され、ＤＭＡ１ａ、２ａ、３ａ、４ａに記録された情報とは相違する、同一の情報がＤＭＡ１ｂ、２ｂ、３ｂ、４ｂにそれぞれ記録される。
【００４７】
ＢＤ−ＷＯが終了する時点（例えば、ユーザデータ領域へのるデータの記録動作が完了するか、ＴＤＭＡがフル（ｆｕｌｌ）になるか、又はユーザなどからの終了コマンドにより行われる）で、ＴＤＭＡ内に既に記録されていたＴＤＭＡ情報がＤＭＡ内にＤＭＡ情報として転送される。本発明の実施例に係るＴＤＭＡ情報をＤＭＡへと転送する過程について、以下、二層ＢＤ−ＷＯを例に挙げて図６〜１１を参照して詳述することにする。
【００４８】
図６Ａと図６Ｂは、一般の二層ＢＤ−ＷＯにおける一つのＤＭＡに対するクラスタ構造であって、本発明の説明のために示している。本発明に係るＢＤ−ＷＯにおけるＴＤＭＡ情報を転送する方法は、ＢＤ−ＲＥと互換性を持たせるようにする。
【００４９】
ＢＤ−ＷＯにおけるＤＭＡ構造と類似して、図６に示すＢＤ−ＲＥは、第１の記録層からの一つのＤＭＡパート（クラスタ１〜３２）と第２の記録層からのもう一つのＤＭＡパート（クラスタ３３〜６４）とから構成され、これらは、示された矢印方向に沿ってアクセス可能である。図６に示すように、同一のＤＤＳ情報がＤＭＡのクラスタ１〜４に繰り返し記録され、ＤＦＬ情報は、ＤＭＡのクラスタ９〜６４に繰り返し記録される。しかし、ＢＤ−ＲＥでは、クラスタ５〜８は、欠陥管理のためには活用されない。
【００５０】
図７〜１１に示す本発明は、図６Ａと図６Ｂに示すＢＤ−ＲＥにおけるＤＭＡ構造に基づき、新たに定義された二層ＢＤ−ＷＯにおけるＤＭＡ構造を提供しようとするものである。これは、ＢＤ−ＲＥとＢＤ−ＷＯとの相互互換性を保障するためである。図７〜１１を参照して、種々の本発明に係る実施例を説明し、これは、ＢＤ−ＷＯにおけるＴＤＭＡ内への最新のディスク管理情報の記録が終了するか、又は終了コマンドを受けるか、或いはＴＤＭＡがフル（ｆｕｌｌ）になる時点でＴＤＭＡ内の最新のディスク管理情報がＤＭＡ内へと転送される方法に関する。特に、ＴＤＭＡ内の最新のＴＤＦＬ情報とＴＤＤＳ情報がＤＭＡ内のＤＦＬ情報とＤＤＳ情報としてそれぞれ転送されることを意味し、かかる転送過程を、以下、ＴＤＭＡ情報転送過程と称す。
【００５１】
図７〜１０にそれぞれ示した一つのＤＭＡは、第１の記録層のＤＭＡパートと第２の記録層のＤＭＡパートとが一緒に構成されたものである。例えば、図７〜１０にそれぞれ示す一つのＤＭＡ（クラスタ１〜６４）は、図５に示す第１の記録層のＤＭＡ２ａ（クラスタ１〜３２）と第２の記録層のＤＭＡ２ｂ（クラスタ３３〜６４）とから構成されたものである。また、図７〜１０にそれぞれ示す一つのＴＤＭＡは、図５に示すＢＤ−ＷＯ上のＴＤＭＡ（例えば、ＴＤＭＡ１、２、３、又は４）に相当する。
【００５２】
図７は、本発明の実施例に係る二層ＢＤ−ＷＯにおけるＤＭＡ及びＴＤＭＡ構造と、ＴＤＭＡからＤＭＡへとデータを転送する方法を示す図である。
【００５３】
図７に示すように、ＴＤＭＡ転送過程の間、ＴＭＤＡ内の最新の欠陥管理情報（最新のＴＤＦＬ情報と最新のＴＤＤＳ情報）がＤＭＡ上へと転送される。ＴＤＤＳ情報中には、ＴＤＤＳパート（ＴＤＦＬ位置情報と記録モード情報）には、ディスク使用管理情報（Ｔｒａｃｋ−Ｉｎｆｏ又はＳＢＭ）（例えば、図３と図４に示す）がＤＭＡ上へと転送される。本例は、ＤＭＡのクラスタ１〜８がＤＤＳセクションと指定され、これに対し、ＤＭＡのクラスタ９〜６４は、ＤＦＬセクションと指定される。結局として、ＤＭＡ内の全てのクラスタは、管理情報を記録するために指定される。
【００５４】
詳述すれば、第１の記録層Ｌ０のディスク使用管理情報Ｄ０とＴＤＤＳパートＴ０は、第２の記録層Ｌ１のディスク使用管理情報Ｄ１とＴＤＤＳパートＴ１とは分けられて記録され、これらの情報は、分けられて繰り返しＤＭＡ内に記録される。本例では、第１の記録層Ｌ０のためのＤ０とＴ０は、４回繰り返しＤＭＡ内のＤＤＳセクションのクラスタ１〜４に記録され、また、第２の記録層Ｌ１のためのＤ１とＴ１は、４回繰り返しＤＭＡ内のＤＤＳセクションのクラスタ５〜８に記録される。結果として、ＤＭＡ内のＤＤＳセクションは、第１及び第２の記録層のための最新のＴＤＤＳパート（Ｔ０＆Ｔ１）と最新のディスク使用管理情報（Ｄ０＆Ｄ１）が、Ｄ０＆Ｔ０、Ｄ０＆Ｔ０、Ｄ０＆Ｔ０、 Ｄ０＆Ｔ０、Ｄ１＆Ｔ１、Ｄ１＆Ｔ１、Ｄ１＆Ｔ１、Ｄ１＆Ｔ１の順に記録される。なお、Ｄ０＆Ｔ０又はＤ１＆Ｔ１は、一つの単位大きさ、例えば、１クラスタの大きさで記録される。また、一つの例として、ＤＭＡ内のＤＤＳセクションに記録されたＴ０とＴ１は、ＤＭＡ上のＤＦＬの位置を指定すればよく、ＢＤ−ＷＯ上のＴＤＭＡ内のＴＤＦＬの位置を指定する必要はないといえる。
【００５５】
また、ＭＳＡｓｏクラスタ９〜６４（ＤＦＬセクション）は、ＴＤＭＡ内のＤＦＬ情報に基づいて、又はこれに対応してＤＦＬ情報を格納するのに活用される。本例では、同一のＤＦＬ情報をＤＭＡ内のＤＦＬセクションに最大７回まで繰り返し記録することが可能である。ＤＦＬセクション又はＤＤＳセクションに繰り返し同一の情報を記録することは、欠陥により一部のＤＭＡが損傷してもＤＭＡ情報を損ねることなく、必要とする都度的確にＤＭＡ情報へのアクセスを保障する。
【００５６】
一つの実施例として、最新のディスク使用管理情報は、リードイン領域内の第１番目のＤＭＡの先頭セクションに記録するか、及び／又はリードアウト領域内のＤＭＡの先頭／末尾セクションに記録する。これは、ディスクが単層（一つの記録層）であるか、多層（複数の記録層）であるかによって決められる。即ち、このような方式は、ディスクのローディング初期におけるディスク使用管理情報へのより速やかなアクセスを可能にする。更には、ディスク内の別の領域に同一の情報を繰り返し記録することによりデータの信頼性及びデータの維持を保障可能になる。例えば、仮に図７に示すＤＭＡ１〜３２を図５に示すＤＭＡ２ａと仮定すれば、図７に示すＤＭＡ１〜３２に記録される情報は、第１の記録層のＤＭＡ１ａ、３ａ、４ａにも繰り返し記録される。同様に、仮に図７に示すＤＭＡ３３〜６４を図５に示すＤＭＡ２ｂと仮定すれば、図７に示すＤＭＡ３３〜６４に記録される情報は、第２の記録層のＤＭＡ１ｂ、３ｂ、４ｂにも繰り返し記録される。
【００５７】
図８は、本発明の他の実施例に係る二層ＢＤ−ＷＯにおけるＤＭＡ及びＴＤＭＡ構造と、ＴＤＭＡからＤＭＡへとデータを転送する方法を示す図である。本実施例は、図７に示す実施例とは、次の事項を除いては同一である。即ち、本実施例は、第１の記録層Ｌ０のディスク使用管理情報Ｄ０とＴＤＤＳパートとＴ０がＤＭＡ内のクラスタ１〜２及び５〜６に繰り返し記録され、第２の記録層Ｌ１のディスク使用管理情報Ｄ１とＴＤＤＳパートＴ１は、ＤＭＡ内のクラスタ３〜４及び７〜８に繰り返し記録される。結果として、ＤＭＡ内のＤＤＳセクションは、第１及び第２の記録層のための最新のＴＤＤＳパート（Ｔ０＆Ｔ１）と最新のディスク使用管理情報（Ｄ０＆Ｄ１）が、Ｄ０＆Ｔ０、Ｄ０＆Ｔ０、Ｄ１＆Ｔ１、 Ｄ１＆Ｔ１、Ｄ０＆Ｔ０、Ｄ０＆Ｔ０、Ｄ１＆Ｔ１、Ｄ１＆Ｔ１の順に記録される。なお、Ｄ０＆Ｔ０又はＤ１＆Ｔ１は、一つの単位大きさ、例えば、１クラスタの大きさで記録される。また、変形的な使用例として、ＤＭＡのクラスタ５〜８を、繰り返し記録しない予備領域として残しておき、単にクラスタ１〜４だけに記録することも可能である。即ち、クラスタ１〜４にＤ０＆Ｔ０、Ｄ０＆ＴＯ、Ｄ１＆Ｔ１、Ｄ１＆Ｔ１として記録される。
【００５８】
図９は、本発明のまた他の実施例に係る二層ＢＤ−ＷＯにおけるＤＭＡ及びＴＤＭＡ構造と、ＴＤＭＡからＤＭＡへとデータを転送する方法を示す図である。本実施例は、図７に示す実施例とは、次の事項を除いては同一である。即ち、本実施例は、第１の記録層Ｌ０及び第２の記録層Ｌ１のためのそれぞれの（Ｄ０＆Ｔ０）及び（Ｄ１＆Ｔ１）が交互に繰り返しＤＭＡ内のＤＤＳセクションに一つの単位大きさ、例えば、１クラスタの大きさで記録される。
【００５９】
特に、図９に示すように、第１の記録層Ｌ０の最新のＤ０とＴ０がＤＭＡ内のクラスタ１、３、５、７に記録され、第２の記録層Ｌ１の最新のＤ１とＴ１は、ＤＭＡ内のクラスタ２、４、５、８に記録される。結果として、ＤＭＡ内のＤＤＳセクションは、第１及び第２の記録層のための最新のＴＤＤＳパート（Ｔ０＆Ｔ１）と最新のディスク使用管理情報（Ｄ０＆Ｄ１）が、Ｄ０＆Ｔ０、Ｄ１＆Ｔ１、Ｄ０＆Ｔ０、 Ｄ１＆Ｔ１、Ｄ０＆Ｔ０、Ｄ１＆Ｔ１、Ｄ０＆Ｄ０、Ｄ１＆Ｔ１の順に記録される。なお、Ｄ０＆Ｔ０又はＤ１＆Ｔ１は、一つの単位大きさ、例えば、１クラスタの大きさで記録される。また、変形的な例として、ＤＭＡのクラスタ５〜８を、繰り返し記録しない予備領域として残しておき、単にクラスタ１〜４だけに記録することも可能である。即ち、クラスタ１〜４にＤ０＆Ｔ０、Ｄ１＆Ｔ１、Ｄ０＆Ｔ０、Ｄ１＆Ｔ１として記録される。
【００６０】
図１０は、本発明のまた別の実施例に係る二層ＢＤ−ＷＯにおけるＤＭＡ及びＴＤＭＡ構造と、ＴＤＭＡからＤＭＡへとデータを転送する方法を示す図である。本実施例は、図７に示す実施例とは、次の事項を除いては同一である。即ち、本実施例は、最新の（Ｄ０＆Ｔ０）及び（Ｄ１＆Ｔ１）をＤＭＡ内のＤＤＳセクションに特定の順に記録する。以降、同一の情報を連続する領域に逆順に記録するか、連続する領域を予備領域として残しておく。
【００６１】
特に、図１０に示すように、例えば、第１の記録層Ｌ０の最新のＤ０とＴ０がＤＭＡ内のクラスタ１、４、５、８に記録され、第２の記録層Ｌ１の最新のＤ１とＴ１は、ＤＭＡ内のクラスタ２、３、６、７に記録される。結果として、ＤＭＡ内のＤＤＳセクションは、第１及び第２の記録層のための最新のＴＤＤＳパート（Ｔ０＆Ｔ１）と最新のディスク使用管理情報（Ｄ０＆Ｄ１）が、Ｄ０＆Ｔ０、Ｄ１＆Ｔ１、Ｄ１＆Ｔ１、 Ｄ０＆Ｔ０、Ｄ０＆Ｔ０、Ｄ１＆Ｔ１、Ｄ１＆Ｔ１、Ｄ０＆Ｔ０の順に記録される。なお、Ｄ０＆Ｔ０又はＤ１＆Ｔ１は、一つの単位大きさ、例えば、１クラスタの大きさで記録される。また、変形的な例として、ＤＭＡのクラスタ５〜８を、繰り返し記録しない予備領域として残しておき、単にクラスタ１〜４だけに記録することも可能である。即ち、クラスタ１〜４にＤ０＆Ｔ０、Ｄ１＆Ｔ１、Ｄ１＆Ｔ１、Ｄ０＆Ｔ０、Ｄ０＆Ｔ０として記録される。
【００６２】
記録順をＤ０＆Ｔ０、Ｄ１＆Ｔ１、Ｄ１＆Ｔ１、Ｄ０＆Ｔ０、Ｄ０＆Ｔ０にすることにより、実際には円周状である記録領域を有するディスク内の円周を横切って発生する直線のスクラッチなどに起因する欠陥によって一つの記録層のためのディスク使用管理情報が同時に損失を受けたり、再生不可能になることが防止できるようになる。
【００６３】
図７〜１０に示す実施例は、例えば、仮にトラック・インフォ（Ｔｒａｃｋ−Ｉｎｆｏ）をＢＤ−ＷＯにおけるディスク使用管理情報として使用するとすれば、第１の記録層及び第２の記録層のためのディスク使用管理情報Ｄ０とＤ１は同内容になる。結果として、第１の記録層及び第２の記録層ともにおいて、同一の最新のディスク使用管理情報がＤＭＡ内に記録される。
【００６４】
図１１は、本発明の更なる実施例に係る二層ＢＤ−ＷＯにおけるＤＭＡ及びＴＤＭＡ構造と、ＴＤＭＡからＤＭＡへとデータを転送する方法を示す図である。本実施例は、図７に示す実施例とは、次の事項を除いては同一である。即ち、本実施例は、第１の記録層Ｌ０のための最新のＤ０とＴ０がＤＭＡ内のクラスタ１〜４に繰り返し４回記録され、第２の記録層Ｌ１のための最新のＤ１とＴ１がＤＭＡ内のクラスタ３３〜３６に繰り返し４回記録される。関連して、ＤＭＡ内のクラスタ１〜４は、第１の記録層Ｌ０に備えられた領域であり（例えば、図５に示すＤＭＡ２ａ）、ＤＭＡ内のクラスタ３３〜３６は、第２の記録層Ｌ１に備えられた領域である（例えば、図５に示すＤＭＡ２ｂ）。結果として、第１の記録層Ｌ０のためのディスク使用管理情報と第２の記録層Ｌ１のためのディスク使用管理情報が相違している記録層に記録されることにより相互区分される。また、クラスタ５〜８及び３７〜４０は、予備領域として残しておき、クラスタ９〜３２と４１〜６４は、前述したＤＦＬ情報を格納するのに使用される。
【００６５】
図７〜１１に示す実施例に関連して、Ｄ０＆Ｔ０及びＤ１＆Ｔ１を記録するために特定の数及び繰り返し順が定義されているが、本発明は、これらに限定されるものではなく、他の数及び別の繰り返し順を含むことはいうまでもない。
【００６６】
以上、本発明の好適な実施例について図示し説明したが、本発明は、上述した実施例に限定されるものではなく、特許請求の範囲で請求する本発明の要旨と思想を逸脱することなく種々の変更、又は変形的な使用が可能であることは、当該発明の属する技術分野の当業者にとっては自明なことであり、従って、本発明の特許請求の範囲及びその均等な範囲内での変形的な使用は、本発明に属するということを明らかにする。
【００６７】
また、添付した図面は、実施例と共に発明の理解を高めるためのものであって、発明内容の一部として含まれ、また、本発明の実施例及び概念を説明するために提供する。
【図面の簡単な説明】
【００６８】
【図１】一般の単層ＢＤ−ＲＥの構成を概略的に示す図である。
【図２】本発明に係る光記録再生装置を示すブロック図である。
【図３】本発明の実施例に係る追記型光ディスクであって単層ＢＤ−ＷＯの構造を示す図である。
【図４】本発明の実施例に係るＢＤ−ＷＯのディスク管理情報の記録方法と、書き換え可能なディスクでのＤＤＳ構造と、ＢＤ−ＷＯでのＴＤＤＳ構造を例を挙げて示す図である。
【図５】本発明の実施例に係る追記型光ディスクであって二層ＢＤ−ＷＯの構造を示す図である。
【図６Ａ】本発明の実施例の説明のために二層ＢＤ−ＷＯのＤＭＡの構造を、例を挙げて示す図である。
【図６Ｂ】本発明の実施例の説明のために二層ＢＤ−ＷＯのＤＭＡの構造を、例を挙げて示す図である。
【図７】本発明の実施例に係る二層ＢＤ−ＷＯにおけるＤＭＡ、ＴＤＭＡの構造を示し、ＴＤＭＡからＤＭＡへとデータを転送する方法を示す図である。
【図８】本発明の実施例に係る二層ＢＤ−ＷＯにおけるＤＭＡ、ＴＤＭＡの構造を示し、ＴＤＭＡからＤＭＡへとデータを転送する他の方法を示す図である。
【図９】本発明の実施例に係る二層ＢＤ−ＷＯにおけるＤＭＡ、ＴＤＭＡの構造を示し、ＴＤＭＡからＤＭＡへとデータを転送するまた他の方法を示す図である。
【図１０】本発明の実施例に係る二層ＢＤ−ＷＯにおけるＤＭＡ、ＴＤＭＡの構造を示し、ＴＤＭＡからＤＭＡへとデータを転送する別の方法を示す図である。
【図１１】本発明の実施例に係る二層ＢＤ−ＷＯにおけるＤＭＡ、ＴＤＭＡの構造を示し、ＴＤＭＡからＤＭＡへとデータを転送する更に他の方法を示す図である。
【図１２】本発明の他の実施例に係る追記型光ディスクであって単層ＢＤ−ＷＯの構造を示す図である。
【図１】
0004713158.tif 000002
【図２】
0004713158.tif 000003
【図３】
0004713158.tif 000004
【図４】
0004713158.tif 000005
【図５】
0004713158.tif 000006
【図６Ａ】
0004713158.tif 000007
【図６Ｂ】
0004713158.tif 000008
【図７】
0004713158.tif 000009
【図８】
0004713158.tif 000010
【図９】
0004713158.tif 000011
【図１０】
0004713158.tif 000012
【図１１】
0004713158.tif 000013
【図１２】
0004713158.tif 000014